(57)【要約】【課題】空気調和機毎に表示部を操作することなく、遠隔から表示の仕様を集中して変更する。【解決手段】リモートコントローラ４は表示部４１と操作部４２を有している。表示部４１は空気調和機２０の動作状況や設定状況を、複数種の仕様を切り換えて表示する。そのため、表示部４１には複数種の仕様が準備されている。通信部３１は集中制御機１０から、空気調和機の空調動作及び表示の仕様の切替を行う命令Ｓを受信する。命令Ｓに、表示仕様の切り換えを示す情報が格納されたパケットが含まれていることにより、集中制御機１０は空気調和機２０の空調動作のみならず表示部４１における表示仕様の切替を、空気調和機毎に表示部４１を操作することなく、遠隔から集中して個別に制御することができる。【選択図】図２
2008133997.tif 000002
【特許請求の範囲】
【請求項１】
各々が、複数種の仕様を切り換えて表示する表示部(41)を有する空気調和機(21,22,23)の複数と、
前記空気調和機の空調動作及び前記仕様の切替を集中して個別に制御する集中制御機(10)と
を備える空気調和システム。
【請求項２】
前記空気調和機(21,22,23)の各々は前記空調動作を行う室内機(3)を有し、
前記集中制御機(10)は、前記空調動作及び前記仕様の切替を指示する命令(S)を前記室内機に与え、
前記室内機では前記命令から前記仕様の切替を指示する部分が抜き出されて前記表示部(41)に与えられ、
前記部分に基づいて前記表示部が前記仕様を切り換えて表示する、請求項１記載の空気調和システム。
【請求項３】
前記仕様の切替により、前記表示部(41)の表示に用いられる言語が切り替わる、請求項１又は請求項２のいずれか一つに記載の空気調和システム。
【請求項４】
前記仕様の切替により、前記表示部(41)の表示に用いられる文字の大きさが切り替わる、請求項１乃至請求項３のいずれか一つに記載の空気調和システム。
【請求項５】
前記仕様の切替により、前記表示部(41)の表示に用いられる温度表示の単位が摂氏と華氏とに切り替わる、請求項１乃至請求項４のいずれか一つに記載の空気調和システム。
【発明の詳細な説明】
【技術分野】
【０００１】
この発明は、複数の空気調和機と、それらの空調動作を集中して個別に制御する集中制御機とを備える空気調和システムに関する。
【背景技術】
【０００２】
複数の居室の各々に空気調和機が備えられ、これらの空調動作を集中して個別に制御する集中制御機を設ける技術がある。そして空気調和機には一般にリモートコントローラが設けられ、リモートコントローラは操作や運転状況を表示する表示部を有する。リモートコントローラと室内機や室外機との間で通信を行う技術は、例えば特許文献１に紹介されている。またリモートコントローラにおける表示については、例えば特許文献２に紹介されている。
【０００３】
【特許文献１】特開２００６−２９６８７号公報
【特許文献２】特開２００１−３１１５４６号公報
【発明の開示】
【発明が解決しようとする課題】
【０００４】
ところで、ホテルのように、日々ユーザーが変わる居室において、その日に居室を使用するユーザーに合わせてリモートコントローラの表示言語や文字の大きさを変更する要望がある。しかしながらかかる変更のための操作を各居室において行うことは煩雑である。
【０００５】
この発明は上記の事情に鑑みてなされたものであり、空気調和機毎に表示部を操作することなく、遠隔から表示の仕様を集中して変更することを目的とする。
【課題を解決するための手段】
【０００６】
この発明にかかる空気調和システムの第１の態様は、各々が、複数種の仕様を切り換えて表示する表示部(41)を有する空気調和機(21,22,23)の複数と、前記空気調和機の空調動作及び前記仕様の切替を集中して個別に制御する集中制御機(10)とを備える。
【０００７】
この発明にかかる空気調和システムの第２の態様は、その第１の態様であって、前記空気調和機(21,22,23)の各々は前記空調動作を行う室内機(3)を有し、前記集中制御機(10)は、前記空調動作及び前記仕様の切替を指示する命令(S)を前記室内機に与え、前記室内機では前記命令から前記仕様の切替を指示する部分が抜き出されて前記表示部(41)に与えられ、前記部分に基づいて前記表示部が前記仕様を切り換えて表示する。
【０００８】
この発明にかかる空気調和システムの第３の態様は、その第１の態様及び第２の態様のいずれかであって、前記仕様の切替により、前記表示部(41)の表示に用いられる言語が切り替わる。
【０００９】
この発明にかかる空気調和システムの第４の態様は、その第１の態様乃至第３の態様のいずれかであって、前記仕様の切替により、前記表示部(41)の表示に用いられる文字の大きさが切り替わる。
【００１０】
この発明にかかる空気調和システムの第５の態様は、その第１の態様乃至第４の態様のいずれかであって、前記仕様の切替により、前記表示部(41)の表示に用いられる温度表示の単位が摂氏と華氏とに切り替わる。
【発明の効果】
【００１１】
この発明にかかる空気調和システムの第１の態様によれば、空気調和機毎に表示部を操作することなく、遠隔から表示の仕様を集中して変更することができる。例えばホテルなどのように日々ユーザーが変わる居室において、その日に居室を使用するユーザーに合わせて表示言語や文字の大きさを変更する場合に好適である。
【００１２】
この発明にかかる空気調和システムの第２の態様によれば、仕様の切替のための命令を別途に設けずに、空調動作を指示する命令に付随して、集中制御機から空気調和機に与えることができる。
【００１３】
この発明にかかる空気調和システムの第３の態様によれば、ユーザーにとって理解しやすい言語での表示を集中制御機で、集中して個別に制御できる。
【００１４】
この発明にかかる空気調和システムの第４の態様によれば、ユーザーにとって見やすい大きさでの表示を、集中制御機で集中して個別に制御できる。
【００１５】
この発明にかかる空気調和システムの第５の態様によれば、ユーザーにとって理解しやすい温度体系での表示を、集中制御機で集中して個別に制御できる。
【発明を実施するための最良の形態】
【００１６】
図１はこの発明にかかる空気調和システムの構成を例示するブロック図である。当該空気調和システムは、複数の空気調和機２１，２２，２３と、これらの空調動作を集中して個別に制御する集中制御機１０とを備えている。
【００１７】
図２は空気調和機２１，２２，２３のいずれにも採用される構成２０を例示するブロック図である。当該空気調和機は室内機３，リモートコントローラ４，室外機５を備えている。室内機３は集中制御機１０と通信を行う通信部３１と、空調動作を制御する制御部３２と、空調動作を行う駆動部３３とを有している。室外機５は空調動作を制御する制御部５１と、空調動作を行う駆動部５２とを有している。制御部３２，５１は相互に接続されており、これらが相互に協調して動作することにより、駆動部３３，５２も協調して動作する。例えば駆動部３３は熱交換器やファンを有しており、駆動部５２は冷媒圧縮機や熱交換機を有している。
【００１８】
リモートコントローラ４は表示部４１と操作部４２を有している。操作部４２を用いることにより、ユーザーが空気調和機の動作を設定する。なお、ここでは煩雑を避けるため、操作部４２による制御部３２の制御については図示及び説明を省略する。
【００１９】
表示部４１は空気調和機の動作状況や設定状況を、複数種の仕様を切り換えて表示する。そのため、表示部４１には複数種の仕様が準備されている。このような複数種の仕様を有する表示部４１は例えばセグメント表示式の液晶表示を採用することで容易に実現できる。表示部４１における表示としては、冷房／暖房／除湿運転の区別や設定温度を例示することができる。
【００２０】
通信部３１は集中制御機１０から、空気調和機の空調動作及び表示の仕様の切替を行う命令Ｓを受信する。図３は命令Ｓの構成を例示する概念図であり、ここではパケット９１〜９９が命令Ｓを構成する部分として採用されている場合が例示されている。
【００２１】
パケット９９は表示仕様の切り換えを示す情報が格納されており、それ以外のパケットには空気調和機の空調動作を行うための情報が格納されている。たとえばパケット９１には冷房／暖房／除湿運転の設定が、パケット９２には設定温度が、パケット９３には設定風量が、それぞれ格納されている。図示しない他のパケットにも同様に空調動作を行うための情報が格納されているか、あるいは何も格納されていない。
【００２２】
このように集中制御機１０から受信する命令Ｓに、表示仕様の切り換えを示す情報が格納されたパケット９９が含まれていることにより、集中制御機１０は空気調和機２１，２２，２３の空調動作のみならず表示部４１における表示仕様の切替を、空気調和機毎に表示部４１を操作することなく、遠隔から集中して個別に制御することができる。
【００２３】
特に室内機３では命令Ｓからパケット９９が抜き出されて表示部４１に与えられるので、表示仕様の切替のための命令は、これを別途に設けずに、空調動作を指示する命令に付随して、集中制御機１０から空気調和機２１，２２，２３に与えることができる。
【００２４】
図４及び図５は表示部４１における表示仕様の切替を例示する概念図である。図４は日本語表示及び摂氏表示であり、図５は英語表示及び華氏表示である。このようにユーザーにとって理解しやすい言語や温度体系での表示への切替を、命令Ｓに含まれるパケット９９を用いることにより、複数の空気調和機２１，２２，２３に対して集中制御機１０で集中して個別に制御できる。
【００２５】
このような表示の切替の他、表示部４１の表示に用いられる文字の大きさが切り替わってもよい。これにより、ユーザーにとって見やすい大きさでの表示への切替を、命令Ｓに含まれるパケット９９を用いることにより、複数の空気調和機２１，２２，２３に対して集中制御機１０で集中して個別に制御できる。
【図面の簡単な説明】
【００２６】
【図１】この発明にかかる空気調和システムの構成を例示するブロック図である。
【図２】空気調和機に採用される構成を例示するブロック図である。
【図３】集中制御機からの命令の構成を例示する概念図である。
【図４】表示部における表示仕様の切替を例示する概念図である。
【図５】表示部における表示仕様の切替を例示する概念図である。
【符号の説明】
【００２７】
３  室内機
１０  集中制御機
２１，２２，２３  空気調和機
４１  表示部
９１〜９９  パケット
Ｓ  命令
【図１】
2008133997.tif 000003
【図２】
2008133997.tif 000004
【図３】
2008133997.tif 000005
【図４】
2008133997.tif 000006
【図５】
2008133997.tif 000007
【手続補正書】
【提出日】平成19年12月18日(2007.12.18)
【手続補正１】
【補正対象書類名】特許請求の範囲
【補正対象項目名】全文
【補正方法】変更
【補正の内容】
【特許請求の範囲】
【請求項１】
各々が、複数種の仕様を切り換えて表示する表示部(41)を有する空気調和機(21,22,23)の複数と、
前記空気調和機の各々に対する個別の前記仕様の切替を、集中して制御する集中制御機(10)と
を備える空気調和システム。
【請求項２】
前記集中制御機(10)は、前記空気調和機の各々に対する個別の空調動作の切り換えを、集中して制御する、請求項１記載の空気調和システム。
【請求項３】
前記空気調和機(21,22,23)の各々は前記空調動作を行う室内機(3)を有し、
前記集中制御機(10)は、前記空調動作及び前記仕様の切替を指示する命令(S)を前記室内機に与え、
前記室内機では前記命令から前記仕様の切替を指示する部分が抜き出されて前記表示部(41)に与えられ、
前記部分に基づいて前記表示部が前記仕様を切り換えて表示する、請求項２記載の空気調和システム。
【請求項４】
前記空気調和機(21,22,23)の各々はリモートコントローラ(4)を含み、
前記表示部(41)は前記リモートコントローラ(4)に備えられる、請求項３記載の空気調和システム。
【請求項５】
前記仕様の切替により、前記表示部(41)の表示に用いられる言語が切り替わる、請求項１乃至請求項４のいずれか一つに記載の空気調和システム。
【請求項６】
前記仕様の切替により、前記表示部(41)の表示に用いられる文字の大きさが切り替わる、請求項１乃至請求項４のいずれか一つに記載の空気調和システム。
【請求項７】
前記仕様の切替により、前記表示部(41)の表示に用いられる温度表示の単位が摂氏と華氏とに切り替わる、請求項１乃至請求項４のいずれか一つに記載の空気調和システム。
【手続補正２】
【補正対象書類名】明細書
【補正対象項目名】０００６
【補正方法】変更
【補正の内容】
【０００６】
この発明にかかる空気調和システムの第１の態様は、各々が、複数種の仕様を切り換えて表示する表示部(41)を有する空気調和機(21,22,23)の複数と、前記空気調和機の各々に対する個別の前記仕様の切替を、集中して制御する集中制御機(10)とを備える。
この発明にかかる空気調和システムの第２の態様は、その第１の態様であって、前記集中制御機(10)は、前記空気調和機の各々に対する個別の空調動作の切り換えを、集中して制御する。
【手続補正３】
【補正対象書類名】明細書
【補正対象項目名】０００７
【補正方法】変更
【補正の内容】
【０００７】
この発明にかかる空気調和システムの第３の態様は、その第２の態様であって、前記空気調和機(21,22,23)の各々は前記空調動作を行う室内機(3)を有し、前記集中制御機(10)は、前記空調動作及び前記仕様の切替を指示する命令(S)を前記室内機に与え、前記室内機では前記命令から前記仕様の切替を指示する部分が抜き出されて前記表示部(41)に与えられ、前記部分に基づいて前記表示部が前記仕様を切り換えて表示する。
この発明にかかる空気調和システムの第４の態様は、その第３の態様であって、前記空気調和機(21,22,23)の各々はリモートコントローラ(4)を含み、前記表示部(41)は前記リモートコントローラ(4)に備えられる。
【手続補正４】
【補正対象書類名】明細書
【補正対象項目名】０００８
【補正方法】変更
【補正の内容】
【０００８】
この発明にかかる空気調和システムの第５の態様は、その第１の態様乃至第４の態様のいずれかであって、前記仕様の切替により、前記表示部(41)の表示に用いられる言語が切り替わる。
【手続補正５】
【補正対象書類名】明細書
【補正対象項目名】０００９
【補正方法】変更
【補正の内容】
【０００９】
この発明にかかる空気調和システムの第６の態様は、その第１の態様乃至第４の態様のいずれかであって、前記仕様の切替により、前記表示部(41)の表示に用いられる文字の大きさが切り替わる。
【手続補正６】
【補正対象書類名】明細書
【補正対象項目名】００１０
【補正方法】変更
【補正の内容】
【００１０】
この発明にかかる空気調和システムの第７の態様は、その第１の態様乃至第４の態様のいずれかであって、前記仕様の切替により、前記表示部(41)の表示に用いられる温度表示の単位が摂氏と華氏とに切り替わる。
【手続補正７】
【補正対象書類名】明細書
【補正対象項目名】００１１
【補正方法】変更
【補正の内容】
【００１１】
この発明にかかる空気調和システムの第１の態様及び第２の態様によれば、空気調和機毎に表示部を操作することなく、遠隔から表示の仕様を集中して変更することができる。例えばホテルなどのように日々ユーザーが変わる居室において、その日に居室を使用するユーザーに合わせて表示言語や文字の大きさを変更する場合に好適である。
【手続補正８】
【補正対象書類名】明細書
【補正対象項目名】００１２
【補正方法】変更
【補正の内容】
【００１２】
この発明にかかる空気調和システムの第３の態様及び第４の態様によれば、仕様の切替のための命令を別途に設けずに、空調動作を指示する命令に付随して、集中制御機から空気調和機に与えることができる。
【手続補正９】
【補正対象書類名】明細書
【補正対象項目名】００１３
【補正方法】変更
【補正の内容】
【００１３】
この発明にかかる空気調和システムの第５の態様によれば、ユーザーにとって理解しやすい言語での表示を集中制御機で、集中して個別に制御できる。
【手続補正１０】
【補正対象書類名】明細書
【補正対象項目名】００１４
【補正方法】変更
【補正の内容】
【００１４】
この発明にかかる空気調和システムの第６の態様によれば、ユーザーにとって見やすい大きさでの表示を、集中制御機で集中して個別に制御できる。
【手続補正１１】
【補正対象書類名】明細書
【補正対象項目名】００１５
【補正方法】変更
【補正の内容】
【００１５】
この発明にかかる空気調和システムの第７の態様によれば、ユーザーにとって理解しやすい温度体系での表示を、集中制御機で集中して個別に制御できる。
【手続補正書】
【提出日】平成20年2月25日(2008.2.25)
【手続補正１】
【補正対象書類名】特許請求の範囲
【補正対象項目名】全文
【補正方法】変更
【補正の内容】
【特許請求の範囲】
【請求項１】
各々が、複数種の仕様を切り換えて表示する表示部(41)を有する空気調和機(21,22,23)の複数と、
前記空気調和機の各々に対する個別の前記仕様の切替を、集中して制御する集中制御機(10)と
を備え、
前記集中制御機(10)は、前記空気調和機の各々に対する個別の空調動作の切り換えを、集中して制御し、
前記空気調和機(21,22,23)の各々は前記空調動作を行う室内機(3)を有し、
前記集中制御機(10)は、前記空調動作及び前記仕様の切替を指示する命令(S)を前記室内機に与え、
前記室内機では前記命令から前記仕様の切替を指示する部分が抜き出されて前記表示部(41)に与えられ、
前記部分に基づいて前記表示部が前記仕様を切り換えて表示し、
前記空気調和機(21,22,23)の各々はリモートコントローラ(4)を含み、
前記表示部(41)は前記リモートコントローラ(4)に備えられる、空気調和システム。
【請求項２】
前記仕様の切替により、前記表示部(41)の表示に用いられる言語が切り替わる、請求項１記載の空気調和システム。
【請求項３】
前記仕様の切替により、前記表示部(41)の表示に用いられる文字の大きさが切り替わる、請求項１記載の空気調和システム。
【請求項４】
前記仕様の切替により、前記表示部(41)の表示に用いられる温度表示の単位が摂氏と華氏とに切り替わる、請求項１記載の空気調和システム。
【手続補正２】
【補正対象書類名】明細書
【補正対象項目名】０００６
【補正方法】変更
【補正の内容】
【０００６】
この発明にかかる空気調和システムの第１の態様は、各々が、複数種の仕様を切り換えて表示する表示部(41)を有する空気調和機(21,22,23)の複数と、前記空気調和機の各々に対する個別の前記仕様の切替を、集中して制御する集中制御機(10)とを備える。
そして、前記集中制御機(10)は、前記空気調和機の各々に対する個別の空調動作の切り換えを、集中して制御する。
【手続補正３】
【補正対象書類名】明細書
【補正対象項目名】０００７
【補正方法】変更
【補正の内容】
【０００７】
そして、前記空気調和機(21,22,23)の各々は前記空調動作を行う室内機(3)を有し、前記集中制御機(10)は、前記空調動作及び前記仕様の切替を指示する命令(S)を前記室内機に与え、前記室内機では前記命令から前記仕様の切替を指示する部分が抜き出されて前記表示部(41)に与えられ、前記部分に基づいて前記表示部が前記仕様を切り換えて表示する。
そして、前記空気調和機(21,22,23)の各々はリモートコントローラ(4)を含み、前記表示部(41)は前記リモートコントローラ(4)に備えられる。
【手続補正４】
【補正対象書類名】明細書
【補正対象項目名】０００８
【補正方法】変更
【補正の内容】
【０００８】
この発明にかかる空気調和システムの第２の態様は、その第１の態様であって、前記仕様の切替により、前記表示部(41)の表示に用いられる言語が切り替わる。
【手続補正５】
【補正対象書類名】明細書
【補正対象項目名】０００９
【補正方法】変更
【補正の内容】
【０００９】
この発明にかかる空気調和システムの第３の態様は、その第１の態様であって、前記仕様の切替により、前記表示部(41)の表示に用いられる文字の大きさが切り替わる。
【手続補正６】
【補正対象書類名】明細書
【補正対象項目名】００１０
【補正方法】変更
【補正の内容】
【００１０】
この発明にかかる空気調和システムの第４の態様は、その第１の態様であって、前記仕様の切替により、前記表示部(41)の表示に用いられる温度表示の単位が摂氏と華氏とに切り替わる。
【手続補正７】
【補正対象書類名】明細書
【補正対象項目名】００１１
【補正方法】変更
【補正の内容】
【００１１】
この発明にかかる空気調和システムの第１の態様によれば、空気調和機毎に表示部を操作することなく、遠隔から表示の仕様を集中して変更することができる。例えばホテルなどのように日々ユーザーが変わる居室において、その日に居室を使用するユーザーに合わせて表示言語や文字の大きさを変更する場合に好適である。
【手続補正８】
【補正対象書類名】明細書
【補正対象項目名】００１２
【補正方法】変更
【補正の内容】
【００１２】
そして、仕様の切替のための命令を別途に設けずに、空調動作を指示する命令に付随して、集中制御機から空気調和機に与えることができる。
【手続補正９】
【補正対象書類名】明細書
【補正対象項目名】００１３
【補正方法】変更
【補正の内容】
【００１３】
この発明にかかる空気調和システムの第２の態様によれば、ユーザーにとって理解しやすい言語での表示を集中制御機で、集中して個別に制御できる。
【手続補正１０】
【補正対象書類名】明細書
【補正対象項目名】００１４
【補正方法】変更
【補正の内容】
【００１４】
この発明にかかる空気調和システムの第３の態様によれば、ユーザーにとって見やすい大きさでの表示を、集中制御機で集中して個別に制御できる。
【手続補正１１】
【補正対象書類名】明細書
【補正対象項目名】００１５
【補正方法】変更
【補正の内容】
【００１５】
この発明にかかる空気調和システムの第４の態様によれば、ユーザーにとって理解しやすい温度体系での表示を、集中制御機で集中して個別に制御できる。